(57)【要約】【課題】照明器具の端部まで光らせることにより、照明器具連結時の光の途切れをなくし、意匠性を向上させることを目的とする。【解決手段】複数のＬＥＤ２０４およびこの複数のＬＥＤ２０４が実装される基板２０６を有する光源部２０３と、基板２０６が取り付けられる光源取付面２０２ａを有し、光源取付面２０２ａは長方形状であり、光源ユニット２０３が器具本体１１０に取り付けられたとき、長方形状の長辺が器具本体１１０の長手方向に沿う光源ユニット本体２０２と、光源部２０３を覆うように光源ユニット本体２０２に取り付けられる透光性の透光カバー２０５とを備え、透光カバー２０５は、少なくとも長手方向の両側の端面２０１ｂが透光性を有している。【選択図】図５
2015072918.tif 000002
【特許請求の範囲】
【請求項１】
器具本体に着脱可能に取り付けられる光源ユニットであって、
前記光源ユニットは、
複数のＬＥＤおよびこの複数のＬＥＤが実装される基板を有する光源部と、
前記基板が取り付けられる光源取付面を有し、前記光源取付面は長方形状であり、前記光源ユニットが前記器具本体に取り付けられたとき、前記長方形状の長辺が前記器具本体の長手方向に沿う光源ユニット本体と、
前記光源部を覆うように前記光源ユニット本体に取り付けられる透光性の透光カバーと、を備え、
前記透光カバーは、少なくとも長手方向の両側の端面が透光性を有している光源ユニット。
【請求項２】
前記透光カバーの長手方向の長さは、前記光源ユニットの長手方向の長さと略等しい請求項１に記載の光源ユニット。
【請求項３】
前記透光カバーは、全体が透光性を有している請求項１または２に記載の光源ユニット。
【請求項４】
前記透光カバーの断面は、半円形状または多角形である請求項１から３のいずれか１項に記載の光源ユニット。
【請求項５】
請求項１から４のいずれか１項に記載の光源ユニットと、
前記光源ユニットが着脱自在に取り付けられる器具本体と
を備える照明装置。
【発明の詳細な説明】
【技術分野】
【０００１】
本発明は、例えば、直管形ＬＥＤランプ（光源ユニット）及び直管形ＬＥＤランプを取り付ける器具本体及び直管形ＬＥＤランプと器具本体とを備える照明装置に関する。
【背景技術】
【０００２】
従来、直管形ＬＥＤランプの長手方向の両端面に備える接続端子を、器具本体の備えるソケットに接続することにより、直管形ＬＥＤランプを器具本体に取り付けている（特許文献１参照）。
【先行技術文献】
【特許文献】
【０００３】
【特許文献１】特許第４１５３９３５号公報
【特許文献２】特開２００８−２１０９４３号公報
【特許文献３】国際公開第２００６／１３７３７４号
【特許文献４】実開昭５２−１６７８７２号公報
【発明の概要】
【発明が解決しようとする課題】
【０００４】
従来技術においては、ソケット接触ピンなどが照明器具の長手方向の端面にあったため発光面を照明器具の端部まで持ってくることができなかった。そのため、照明器具を連結する場合に、照明器具端部の連結部分の光照射面が暗くなるという課題があった。
【０００５】
本発明は、ランプや照明器具の端部まで光らせることにより、照明器具連結時の光の途切れをなくし、意匠性を向上させることを目的とする。
【課題を解決するための手段】
【０００６】
本発明に係る光源ユニットは、器具本体に着脱可能に取り付けられる光源ユニットであって、前記光源ユニットは、複数のＬＥＤおよびこの複数のＬＥＤが実装される基板を有する光源部と、前記基板が取り付けられる光源取付面を有し、前記光源取付面は長方形状であり、前記光源ユニットが前記器具本体に取り付けられたとき、前記長方形状の長辺が前記器具本体の長手方向に沿う光源ユニット本体と、前記光源部を覆うように前記光源ユニット本体に取り付けられる透光性の透光カバーとを備え、前記透光カバーは、少なくとも長手方向の両側の端面が透光性を有している。
【発明の効果】
【０００７】
本発明に係る光源ユニットは、透光カバーの長手方向の両側の端面が透光性を有しているので、透光カバー２０５の長手方向の両側の端面をＬＥＤの光により照らすことができ、器具連結時の光の途切れをなくし、意匠性を向上させることができる。
【図面の簡単な説明】
【０００８】
【図１】本実施の形態に係る照明装置５００の斜視図である。
【図２】本実施の形態に係る照明装置５００の３面図である。
【図３】本実施の形態に係る照明装置５００の分解斜視図である。
【図４】本実施の形態に係る照明装置５００のＡ−Ａ断面図（図２）である。
【図５】本実施の形態に係る照明装置５００のＢ−Ｂ断面図（図２）である。
【図６】本実施の形態に係る照明装置５００において、照明器具１００に光源ユニット２００を取り付ける状態を示す長手方向の端部近傍の斜視図である。
【図７】本実施の形態に係る光源ユニット２００の器具対向面２０２ｂに取り付けられた光源ソケット３００の斜視図である。
【図８】本実施の形態に係る光源ソケット３００の分解斜視図であり、（ａ）は天井面側から見た分解斜視図であり、（ｂ）は照射方向側から見た分解斜視図である。
【図９】本実施の形態に係る器具本体１１０のベース面１１１に取り付けられる器具ソケット６００の斜視図である。
【図１０】本実施の形態に係る器具ソケット６００の分解斜視図であり、（ａ）は天井面側から見た分解斜視図であり、（ｂ）は照射方向側から見た分解斜視図である。
【図１１】本実施の形態に係る光源ソケット３００において、操作レバー３１２を操作して口金ピン３２１の位置をスライドさせる状態を示す図である。
【図１２】本実施の形態に係る照明装置５００において、照明器具１００に光源ユニット２００を取り付ける状態を示す長手方向の端部近傍の斜視図である。
【図１３】本実施の形態に係る光源ソケット３００と器具ソケット６００との接続方法を示す図であり、（ａ）は光源ソケット３００と器具ソケット６００との接続部分の断面図、（ｂ）は口金ピン接触部６２１に口金ピン３２１を挿入するときの状態を示す図である。
【発明を実施するための形態】
【０００９】
実施の形態１．
図１は、本実施の形態に係る照明装置５００の斜視図である。図２は、本実施の形態に係る照明装置５００の３面図である。図３は、本実施の形態に係る照明装置５００の分解斜視図である。図４は、本実施の形態に係る照明装置５００のＡ−Ａ断面図（図２）である。図５は、本実施の形態に係る照明装置５００のＢ−Ｂ断面図（図２）である。図１〜図５を用いて、本実施の形態に係る照明装置５００の全体構成について説明する。
【００１０】
図１、図２に示すように、照明装置５００は、照明器具１００と、この照明器具１００に着脱可能に取り付けられる光源ユニット２００とを備える。
【００１１】
図３に示すように、照明器具１００は、長手方向に長い長尺状の器具本体１１０を備える。器具本体１１０は、例えば、天井面等の照明装置取付面に固定される被取付面１１２と、被取付面１１２の裏側の面であるベース面１１１とを備える。ベース面１１１（被取付面１１２）は、長方形状である。
【００１２】
図３、図４に示すように、器具本体１１０は、短手方向の両側部が光の照射方向（ベース面１１１側）に略直角に折り曲げられている。つまり、器具本体１１０は、断面がコの字状の細長いフレームからなる。
【００１３】
器具本体１１０のベース面１１１には、後述するＬＥＤ２０４（光源）を点灯するための電力を供給する電源ユニット１６０と、電源ユニット１６０に電気的に接続される電源端子台１６１とが取り付けられる。また、ベース面１１１の長手方向の両側の端部には、取付台座１１４を備える。取付台座１１４には、器具ソケット６００（本体側ソケット部）が取り付けられる。
【００１４】
電源ユニット１６０には、商用電源が入力され、接続される光源ユニット２００に電力を供給する。電源端子台１６１は、外部から引き込まれる電源線が取り付けられるとともに、電源ユニット１６０に電線を介して電気的に接続されている。
【００１５】
照明器具１００は、さらに、器具本体１１０を覆う本体カバー４００（反射板）と、この本体カバー４００を取付台座１１４に固定するツマミネジ４１０とを備える。
【００１６】
図３、図４に示すように、取付台座１１４は、断面がコの字形状をなし、コ字形状の開口部がベース面に対向するように取り付けられる。取付台座１１４は、両側の側部が外側に略水平に折り曲げられた本体固定部１１４ａを備え、器具本体１１０のベース面に取り付けられている。
【００１７】
取付台座１１４の照射方向側の平面部（下面部）には、器具ソケット６００が取り付けられるソケット取付面１１４ｂを備える。また、取付台座１１４は、ソケット取付面１１４ｂから照射方向側に突出するように一体形成されたカバー取付部１１４ｃを備える。カバー取付部１１４ｃには、本体カバー４００を取り付けてツマミネジ４１０で固定するために、ツマミネジ４１０が螺着されるネジ取付部１１４ｄを備える。ツマミネジ４１０は、ネジ部４１０ｂとツマミ部４１０ａとを備える。
【００１８】
本体カバー４００は、長手方向の長さが器具本体１１０の長手方向の長さに略等しい。本体カバー４００は、長手方向の端面の形状が、頂点に平らな平面を有する略富士山状をなしており、光の照射方向側から照明器具取付面に向かって、徐々に広がるように器具本体１１０に取り付けられる。本体カバー４００の照射方向端部に形成される平面は、光源ユニット２００と対向するカバー光源対向面４３０である。
【００１９】
また、カバー光源対向面４３０の短手方向端部の両側の側部から、照明器具取付面に向かって徐々に広がって形成されている面は、光源ユニットから発せられる光を反射する反射面４５０である。
【００２０】
カバー光源対向面４３０の長手方向両端部の各端部には、開口するカバー開口部４２０が形成される。カバー開口部４２０からは、ベース面１１１に取り付けられている器具ソケット６００の照射方向側の面が露出する。
【００２１】
カバー開口部４２０の近傍には、ツマミネジ４１０が挿入されるネジ挿通穴４４０を備える。ツマミネジ４１０のネジ部４１０ｂは、ネジ挿通穴４４０を貫通して取付台座１１４のネジ取付部１１４ｄに累着され、カバー光源対向面４３０をツマミ部４１０ａにより押さえて係止する。
【００２２】
図３〜５に示すように、器具ソケット６００は、箱形状であり、上部半分（天井面側の半分）がソケット取付面１１４ｂに形成された開口から取付台座１１４の内部に収納され、下部半分（照射方向側の半分）がソケット取付面１１４ｂに形成された開口から露出している。器具ソケット６００の有する面のうち、ベース面１１１の長手方向の中心側に向く面は、器具ソケット６００の器具ソケット蓋６３０となっている。この器具ソケット蓋６３０の上部（天井面側の部分）には、電源ユニット１６０及び電源端子台１６１に接続された電線を挿入する電線挿入孔６３３が形成されている。器具ソケット６００の構造の詳細については後述する。
【００２３】
図６は、本実施の形態に係る照明装置５００において、照明器具１００に光源ユニット２００を取り付ける状態を示す長手方向の端部近傍の斜視図である。器具ソケット６００が器具本体１１０に取り付けられ、本体カバー４００が器具本体１１０に取り付けられると、器具ソケット６００の照射方向側の面（ソケットケース上面６１０ｂ）が、本体カバー４００のカバー光源対向面４３０の長手方向端部に形成されたカバー開口部４２０から露出する。ただし、器具ソケット６００のソケットケース上面６１０ｂは、本体カバー４００のカバー光源対向面４３０から突出せず、本体カバー４００のカバー光源対向面４３０と同じ平面上に位置する。器具ソケット６００の構造の詳細については後述する。
【００２４】
図１〜５に示すように、光源ユニット２００は、光源ユニット本体２０２（光源基板取付部）と、この光源ユニット本体２０２に取り付けられる光源部２０３（ＬＥＤモジュール（光源基板））と、この光源部２０３を覆うように光源ユニット本体２０２に取り付けられる透光カバー２０５と、光源ユニット本体２０２の長手方向の両側の端部の各端部に取り付けられる光源ソケット３００（プラグ部、あるいは、取付部側プラグ部ともいう）とを備える。
【００２５】
光源ユニット本体２０２は、長手方向の長さが器具本体１１０の長手方向の長さと略等しい長方形状である。光源ユニット本体２０２は、短手方向端部の両側の側部が照射方向側に略直角に折り曲げられている。つまり、光源ユニット本体２０２は、断面がコ字形状をなす。光源ユニット本体２０２は、コ字形状の底部（底面部）に光源部２０３を取り付ける。光源部２０３を取り付ける底面部を光源取付面２０２ａ（光源基板取付部の表面）とする。つまり、光源ユニット本体２０２は、光源取付面２０２ａに光源部２０３を取り付ける。また、光源取付面２０２ａの裏側の面を器具対向面２０２ｂ（光源基板取付部の裏面）とする。
【００２６】
光源部２０３（ＬＥＤモジュール）は、複数のＬＥＤ２０４（光源）と、このＬＥＤ２０４が実装される基板２０６とを備える。基板２０６は、長手方向の長さが光源ユニット本体２０２の長手方向の長さと略等しいか、あるいは光源ユニット本体２０２の長手方向の長さよりやや短く形成された長方形状である。基板２０６には、ＬＥＤ２０４が長手方向に並んで実装される（図８参照）。
【００２７】
基板２０６は、両面基板であり、ＬＥＤ２０４が実装される面（図８の実装面２０６ｄ）の裏面（図８の半田面２０６ｅ）の長手方向の両側の端部に長方形状に銅箔部が露出する接触パターン部２０６ａ（図８参照）を備える。また、実装面２０６ｄにＬＥＤ２０４が半田付けされることにより形成される実装パターン部２０６ｂ（図８参照）と、この実装パターン部２０６ｂと接触パターン部２０６ａとを電気的に接続するスルーホールとを備えている。
【００２８】
光源ユニット本体２０２は、アルミニウムなどの金属であり、光源部２２が発する熱を放熱する機能を有している。
【００２９】
透光カバー２０５は、アクリル、ポリカーボネートなどの樹脂性であり、全体が透光性を有している。透光カバー２０５は、長手方向の長さが光源ユニット本体２０２の長手方向の長さと略等しく、短手方向の幅も光源ユニット本体２０２の短手方向の幅と略等しい。
【００３０】
透光カバー２０５は、短手方向端部の両側の側部が天井面側に略直角に折り曲げられた、断面コ字形状をなす。透光カバー２０５は、光源部２０３を覆うように光源ユニット本体２０２に取り付けられる。光源ユニット本体２０２のコ字形状の開口と透光カバー２０５のコ字形状の開口とは略同一の形状であり、光源ユニット本体２０２のコ字形状の開口と透光カバー２０５のコ字形状の開口とを対向させるように、光源ユニット本体２０２に透光カバー２０５を取り付ける。
【００３１】
図１に示すように、透光カバー２０５は、照射方向側の面である発光面２０１ａと、長手方向の両側の端面２０１ｂと、短手方向の両側の側端面も透光性を有している。したがって、透光カバー２０５の正面、側面全体がＬＥＤ２０４の光に照らされる。これにより、照明装置５００におけるＬＥＤ２０４点灯中の意匠性（光の見え方）も向上する。
【００３２】
本実施の形態に係る透光カバー２０５は、直方体に形成されているが、例えば照射方向側に円弧状に曲面を描くように形成された断面半円形状でもよい。あるいは、断面多角形等の形状でも構わない。
【００３３】
以上のように、本実施の形態に係る照明装置５００は、光源取付面２０２ａ（表面）と器具対向面２０２ｂ（裏面）とを有する長方形状の光源ユニット本体２０２（光源基板取付部）を備える。
【００３４】
光源ユニット本体２０２は、光源部２０３（光源基板）を光源取付面２０２ａに取り付け、器具対向面２０２ｂの長手方向の両側の端部の各端部に光源ソケット３００（プラグ部、あるいは、取付部側プラグ部ともいう）を備える。
【００３５】
光源ソケット３００は、略箱形状であり、一面が光源ユニット本体２０２の器具対向面２０２ｂに固定される。そして、図６に示すように、光源ソケット３００の天井面側の面と、器具ソケット６００の照射方向側の面（ソケットケース上面６１０ｂ）とが当接するように接続されることにより、光源ユニット２００が照明器具１００に取り付けられる。
【００３６】
光源ソケット３００と器具ソケット６００との接続の構造については後述する。
【００３７】
器具ソケット６００は、器具本体１１０のベース面１１１に設けられ、光源ソケット３００と物理的及び電気的に接続することにより、ＬＥＤ２０４を点灯するための電力を光源ソケット３００を介して光源部２０３に供給する。
【００３８】
図５に示すように、本実施の形態に係る照明装置５００は、光源ユニット２００が照明器具１００に取り付けられると、照明装置５００の長手方向の端面はほぼ平らとなる。また、上述したように、光源ユニット２００の長手方向端部（長手方向端面）まで発光面となる。したがって、複数の照明装置５００を長手方向に連結した場合、光源ユニット２００が長手方向に連続的に連結されるとともに、連結部に障害物がなく連結部分が暗くなることがない。したがって、意匠性の高い照明装置５００を提供するとともに、複数の照明装置５００を長手方向に連結した場合でも意匠性の高い照明を提供することができる。
【００３９】
図７は、本実施の形態に係る光源ユニット２００の器具対向面２０２ｂに取り付けられた光源ソケット３００の斜視図である。図８は、本実施の形態に係る光源ソケット３００の分解斜視図であり、（ａ）は天井面側から見た分解斜視図であり、（ｂ）は照射方向側から見た分解斜視図である。図７及び図８を用いて、光源ソケット３００の詳細構造について説明する。
【００４０】
光源ソケット３００は、一面が開口する箱状の光源ソケット本体３１０と、この光源ソケット本体３１０の開口部分を塞ぐ光源ソケット蓋３１１とを備える。また、光源ソケット３００は、光源ソケット本体３１０の側面から一部突出する操作レバー３１２と、光源ソケット本体３１０の内部に収納され、操作レバー３１２を可動させるバネ３１３と、操作レバー３１２に取り付けられる光源ソケット接触片３２０とを備える。
【００４１】
光源ソケット本体３１０は、樹脂により形成され、絶縁性能を高めている。光源ソケット本体３１０は、光源ユニット本体２０２の器具対向面２０２ｂに当接して固定される光源ソケット本体底面３３２を備える。光源ソケット本体３１０は、光源ソケット本体底面３３２に対向する面は開口する開口面３３１であり、開口面３３１を形成する光源ソケット本体側面３３３を備える。光源ユニット２００の両側の側部に対応する光源ソケット本体側面３３３には、開口面３３１から切り込まれて操作レバー３１２が取り付けられる長方形の側面切り欠き部３５１を備える。
【００４２】
また、開口面３３１に対向する光源ソケット本体底面３３２には、長方形の導電穴３５２が形成される。また、光源ソケット本体３１０は、光源ソケット本体底面３３２から突出し、光源ユニット本体２０２の器具対向面２０２ｂに形成された２つの爪係止孔２０２ｆに係止する２つの係止爪３５３を備える。また、光源ソケット本体３１０は、光源ソケット本体底面３３２から突出し、光源ユニット本体２０２の長手方向の端面を塞ぐ端板部３５４を備える。
【００４３】
光源ユニット本体２０２の器具対向面２０２ｂにおいて、光源ソケット本体底面３３２に形成された導電穴３５２に対向する位置には、導電穴３５２に連通する光源側導通穴２０２ｅが形成される。
【００４４】
操作レバー３１２は、樹脂などの絶縁性の素材からなり、「Ｈ」形状をなしている。この「Ｈ」形状の左右側（両側の側部）が、作業者により操作される操作面３１２ａとなっている。作業者は、両側の操作面３１２ａを指等でつまんで、長手方向の内側（Ｃ方向）に移動させることができる。このとき、作業者の指等が滑りにくいように、操作面の表面には凹凸が形成されている。
【００４５】
操作レバー３１２の両側の操作面３１２ａを連結するレバー軸３１２ｂ（「Ｈ」形状の横軸部分）には、レバー軸３１２ｂから長手方向の内側に向かって（Ｃ方向に向かって）バネ３１３が取り付けられる。バネ３１３のレバー軸３１２ｂに取り付けられた端部の反対側の端部は、光源ソケット本体３１０の長手方向の内側の光源ソケット本体側面３３３（図８の３３３ａ部分）の内面に当接する。光源ソケット本体側面３３３（３３３ａ）の内面とレバー軸３１２ｂとの間に取り付けられたバネ３１３の弾性力により、操作レバー３１２は、長手方向端部側（Ｄ方向）に押し付けられている。
【００４６】
光源ソケット接触片３２０は、口金ピン３２１と、導通部３２２とを備える。口金ピン３２１は、銅などの導電部材からなり、円柱状（円筒状）をなすＬＥＤモジュールソケットピンである。導通部３２２は、銅などの導電部材からなり、「レ」の字状に折り曲げられて形成される。導通部３２２の一方の端部に口金ピン３２１が取り付けられる。導通部３２２の他方の端部は、導電穴３５２から突出して、光源ユニット本体２０２の光源側導通穴２０２ｅを貫通して、基板２０６の接触パターン部２０６ａに接触する。導通部３２２の他方の端部がＣ方向に移動しても非接触の状態にならないように（つまり、導通が断絶しないように）、導電穴３５２、光源側導通穴２０２ｅ、接触パターン部２０６ａはＣ−Ｄ方向に長い長方形あるいは楕円形に形成される。
【００４７】
光源ソケット蓋３１１は、口金ピン突出孔３１１ａ、ネジ挿入孔３１１ｂ、蓋固定ネジ３１１ｃ、蓋係止爪３１１ｄを備える。光源ソケット蓋３１１の口金ピン突出孔３１１ａは、口金ピン３２１に対応する位置に形成される。また、口金ピン３２１がＣ方向に移動できるように、Ｃ方向に縦長に形成される。
【００４８】
蓋係止爪３１１ｄは、光源ソケット本体３１０のＣ側の光源ソケット本体側面３３３（３３３ａ）に形成された蓋爪係止孔３１５と係合する。蓋係止爪３１１ｄを蓋爪係止孔３１５と係合させて、光源ソケット蓋３１１を光源ソケット本体３１０に係止する。
【００４９】
ネジ挿入孔３１１ｂは、光源ソケット本体３１０の内部に形成されたネジ止め孔３１４に対応する位置に形成され、光源ソケット本体３１０に光源ソケット蓋３１１を取り付けて、蓋固定ネジ３１１ｃをネジ挿入孔３１１ｂに貫通させてネジ止め孔３１４に累着させることにより、光源ソケット蓋３１１を光源ソケット本体３１０に固定する。
【００５０】
ここで、上述したように、光源部２０３は、両面基板である基板２０６と、基板２０６においてＬＥＤ２０４が実装されていない半田面２０６ｅの長手方向の両側の端部に形成された長方形状に銅箔部が露出する接触パターン部２０６ａと、ＬＥＤ２０４が半田付けされる実装パターン部２０６ｂと、この実装パターン部２０６ｂと接触パターン部２０６ａとを電気的に接続するスルーホール（図示なし）とを備えている。
【００５１】
導通部３２２の他方の端部が、導電穴３５２及び光源側導通穴２０２ｅを貫通して基板２０６の接触パターン部２０６ａに接触することにより、光源ソケット接触片３２０と光源部２０３とが電気的に接続される。
【００５２】
光源ソケット３００は、光源ソケット本体３１０と、光源ソケット蓋３１１とからなる光源ソケット本体ケースを備える。光源ソケット３００（プラグ部、取付部側プラグ部）は、光源ユニット本体２０２（光源基板取付部）の器具対向面２０２ｂに固定される光源ソケット本体底面３３２（プラグケース底面）と、光源ソケット本体底面３３２に対向する光源ソケット本体上面３１０ａ（プラグケース上面）とを備える。
【００５３】
口金ピン３２１（口金部）は、一端部が光源ソケット本体上面３１０ａに形成された口金ピン突出孔３１１ａ（開口）から露出するとともに、他端部が光源ソケット本体ケースの内部に収納される。口金ピン３２１（口金部）は、他端部が光源ソケット本体ケースの内部において、導通部３２２と接続して導通する。口金ピン３２１は、器具対向面２０２ｂ（発光面である光源取付面２０２ａの裏面）から垂直方向に突出している状態である。
【００５４】
光源ソケット本体底面３３２（プラグケース底面）に導通部３２２の他方の端部を貫通させる導電穴３５２（底面側貫通孔）を備え、光源ユニット本体２０２（光源基板取付部）は、導電穴３５２に対応する位置に、導電穴３５２を貫通した導通部３２２の他方の端部を貫通させる光源側導通穴２０２ｅ（取付部側貫通孔）を備える。光源部２０３の基板２０６（光源基板）は、ＬＥＤ２０４（光源）に電力を供給するための実装パターン部２０６ｂ（導体パターン）に接続される接触パターン部２０６ａ（パターン接続部）を、光源側導通穴２０２ｅに対応する位置に備える。
【００５５】
導通部３２２が導電穴３５２と光源側導通穴２０２ｅとを貫通して、接触パターン部２０６ａに電気的に接続するので、光源ユニット２００の器具対向面２０２ｂに光源ソケット３００を配置することができる。
【００５６】
図９は、本実施の形態に係る器具本体１１０のベース面１１１に取り付けられる器具ソケット６００の斜視図である。図１０は、本実施の形態に係る器具ソケット６００の分解斜視図であり、（ａ）は天井面側から見た分解斜視図であり、（ｂ）は照射方向側から見た分解斜視図である。図９及び図１０を用いて、器具ソケット６００の詳細構造について説明する。
【００５７】
器具ソケット６００は、一面が開口する（開口６１６を有する）箱状の器具ソケット本体６１０と、器具ソケット本体６１０の開口６１６を塞ぐ器具ソケット蓋６３０とを備える。器具ソケット本体６１０と、器具ソケット蓋６３０とは、絶縁部材である樹脂等により形成されている。
【００５８】
また、器具ソケット６００は、器具ソケット本体６１０の内部に収納される口金ピン接触片６２０（本体ソケット受け金）と、器具ソケット蓋６３０を器具ソケット本体６１０に固定する固定ネジ６４０とを備える。
【００５９】
器具ソケット本体６１０は、開口面（開口６１６）側から切り込まれ、光源ソケット３００の口金ピン３２１が挿入される２つの口金ピン挿入溝６１１を備える。
【００６０】
器具ソケット本体６１０の側面６１８ａ，６１８ｂには、器具本体１１０の取付台座１１４のソケット取付面１１４ｂに固定するための取付爪６１２を備える。取付爪６１２には、取付台座１１４に固定するための固定ネジ６１７を取り付けるネジ取付部６１３が設けられている。
【００６１】
図４、図９に示すように、器具ソケット６００は、電線挿入孔６３３を備える天井面側の上部半分が、器具本体１１０の取付台座１１４に設けられた孔に挿入される。そして、器具ソケット６００は、側面６１８ａ，６１８ｂに形成された取付爪６１２をソケット取付面１１４ｂに当接させ、固定ネジ６１７をソケット取付面１１４ｂにネジ止めすることにより固定される。
【００６２】
器具ソケット６００の内部は、２つの口金ピン接触片６２０がそれぞれ収納される２つの口金ピン接触片収納部６１５を備える。器具ソケット本体６１０の内部には、２つの口金ピン３２１にそれぞれ対応する２つの口金ピン接触片６２０が収納される。２つの口金ピン接触片６２０は、器具ソケット本体６１０の内部が仕切り板６１５ａにより仕切られて形成された２つの口金ピン接触片収納部６１５にそれぞれ収納される。
【００６３】
仕切り板６１５ａには、器具ソケット蓋６３０を器具ソケット本体６１０に取り付ける固定ネジ６４０を挿入して累着させるためのネジ穴６１５ｂが形成されている。
【００６４】
口金ピン接触片６２０は、銅等の導電部材により形成されている。口金ピン接触片６２０は、側面６１８側から見た形状が「コ」の字状をなし、「コ」の字状に折り曲げられた一方の辺に口金ピン３２１と接触するとともに口金ピン３２１を保持（挟持）する口金ピン接触部６２１を備える。口金ピン接触部６２１は、銅等の導電部材の２枚の板バネを対向させて配置したものであり、内側に押力がかかっている。したがって、この２枚の板バネの間に口金ピン３２１が挿入されることにより、２枚の板バネの内側に係る押力によって口金ピン３２１が挟持されるとともに、口金ピン３２１に２枚の板バネが押し付けられて確実に導通する。
【００６５】
口金ピン接触片６２０は、円柱状の口金ピン３２１が２枚の板バネにより挟持される際に、安定して挟持されるように、２枚の板バネが外側に膨らんで略円形を形成するように形成されている。この略円形状の部分に口金ピン３２１が収まり、挟持及び導通を確実にする。
【００６６】
また、口金ピン接触部６２１に口金ピン３２１が挿入されやすいように、口金ピン接触部６２１に口金ピン３２１を挿入する挿入口には、挿入口から２枚の板バネが外側に開くように形成されたガイド部６２１ａが形成される。
【００６７】
口金ピン接触片６２０の「コ」の字状に折り曲げられた他方の辺には、電線と接触するとともに電線を保持する電線接触部６２２を備える。電線接触部６２２は、口金ピン接触片６２０の「コ」の字状に折り曲げられた他方の辺の先端部が、「コ」の字状の内側（一方の辺側）に鋭角に折り曲げられて形成される。電線接触部６２２は、後述する支持片６３１と口金ピン接触片６２０の折り曲げられた部分とにより電線を挟持して導通する。
【００６８】
器具ソケット蓋６３０は、口金ピン接触片６２０に接触するとともに器具ソケット本体へ支持する２つの支持片６３１を備える。支持片６３１は、器具ソケット蓋６３０の内面から器具本体１１０の長手方向端部に向かって略水平に形成された２枚の平板である。支持片６３１は、上面（天井面側の面）が電線接触部６２２の先端と接触し、上述したように器具ソケット６００に挿入された電線を挟持する。
【００６９】
また、器具ソケット蓋６３０の支持片６３１の位置の下方（照射方向側）には、口金ピン３２１の断面形状にくり貫かれた２つの口金ピン挿入穴６３２が形成される。器具ソケット蓋６３０の支持片６３１の天井面側には、電線が挿入される２つの電線挿入孔６３３と、固定ネジ６４０が挿入されるネジ穴６１５ｂとを備える。
【００７０】
以上のように、器具ソケット６００（本体側ソケット部）のソケットケースは、器具ソケット本体６１０と器具ソケット蓋６３０とを備える。器具ソケット６００（本体側ソケット部）は、ベース面１１１の取付台座１１４に固定されるソケットケース底面６１０ａと、ソケットケース底面６１０ａに対向するソケットケース上面６１０ｂとを備える。器具ソケット本体６１０（ソケットケース）のソケットケース上面６１０ｂに、口金ピン３２１（口金部）が挿入される口金ピン挿入溝６１１（口金挿入孔）が形成される。
【００７１】
ソケットケースの内部に収納され、口金ピン挿入溝６１１から挿入される口金ピン３２１を挟持するとともに、口金ピン３２１と電気的に接続する口金ピン接触片６２０（本体ソケット接触片）とを備える。
【００７２】
器具ソケット６００は、電源ユニット１６０に接続された電線を電線挿入孔６３３から内部に挿入し、口金ピン接触片６２０を介して電線と口金ピン３２１とを導通させる。上述したように、口金ピン３２１は、光源ソケット３００の内部で導通部３２２を介して光源部２０３（接触パターン部２０６ａ）に導通する。このようにして、ＬＥＤ２０４を点灯させるための電力が電源ユニット１６０から光源部２０３に供給される。
【００７３】
ここで、図６を用いて、器具ソケット６００が器具本体１１０に取り付けられ、さらに、本体カバー４００が器具本体１１０に取り付けられた状態について説明する。器具ソケット６００のソケットケース上面６１０ｂが、本体カバー４００のカバー開口部４２０から露出する。ただし、ソケットケース上面６１０ｂは、本体カバー４００のカバー光源対向面４３０から突出せず、本体カバー４００のカバー光源対向面４３０と連続して平らになるようにカバー開口部４２０から露出する。
【００７４】
カバー開口部４２０の開口の形状は長方形であり、短手方向の長さＬ１０はソケットケース上面６１０ｂの幅Ｌ２０と略等しい。カバー開口部４２０の長手方向の長さＬ１１は、ソケットケース上面６１０ｂの長手方向の長さＬ２１よりも長い。そして、器具ソケット６００は、長手方向の端部が本体カバー４００の長手方向の端部に位置するように配置される。これにより、カバー開口部４２０の長手方向の内側（Ｃ側）には（Ｌ１１−Ｌ２１）分の開口が生じる。この開口を、口金挿入用開口４２０ａとする。
【００７５】
次に、光源ユニット２００を照明器具１００に取り付ける工程について説明する。
【００７６】
図１１は、本実施の形態に係る光源ソケット３００において、操作レバー３１２を操作して口金ピン３２１の位置をスライドさせる状態を示す図である。図１２は、本実施の形態に係る照明装置５００において、照明器具１００に光源ユニット２００を取り付ける状態を示す長手方向の端部近傍の斜視図である。図１３は、本実施の形態に係る光源ソケット３００と器具ソケット６００との接続方法を示す図であり、（ａ）は光源ソケット３００と器具ソケット６００との接続部分の断面図、（ｂ）は口金ピン接触部６２１に口金ピン３２１を挿入するときの状態を示す図である。
【００７７】
まず、光源ユニット２００（光源ソケット３００）の操作レバー３１２の操作面３１２ａをつまんで、光源ユニット２００の内側方向（Ｃ方向）にスライドさせる。図１１に示すように、操作レバー３１２をＣ方向にスライドさせると、口金ピン３２１も同様にスライドする。口金ピン３２１は、Ｐ１の位置からスライドしてＰ２の位置にずれる。
【００７８】
図１２に示すように、上記の状態で、光源ユニット２００の長手方向の端部と照明器具１００の長手方向の端部とを合わせながら光源ユニット２００を照明器具１００に押し当てる。すると、口金ピン３２１は、本体カバー４００に形成された口金挿入用開口４２０ａに挿入される。すると、光源ソケット３００の光源ソケット本体上面３１０ａと、器具ソケット６００のソケットケース上面６１０ｂとが面接触する。
【００７９】
図１３（ａ）は、光源ソケット本体上面３１０ａとソケットケース上面６１０ｂとが面接触している状態を示した図である。操作レバー３１２がＣ方向にスライドされて、口金ピン３２１がＰ２の位置にある場合は、バネ３１３は縮んだ状態にありＤ方向に押力がかかっている。この状態で、操作レバー３１２から指を離すなどして、操作レバー３１２のスライドを解除する。すると、口金ピン３２１が器具ソケット６００の器具ソケット蓋６３０に形成された口金ピン挿入穴６３２から器具ソケット本体６１０の内部に挿入される。
【００８０】
つまり、図１３（ａ）に示すように、バネ３１３によるＤ方向への押力により、口金ピン３２１は、点線で示された位置Ｐ１に移動する。これにより、口金ピン３２１は、器具ソケット６００の内部に挿入され、口金ピン接触片６２０に接触するとともに挟持される。
【００８１】
図１３（ｂ）に示すように、口金ピン接触部６２１が口金ピン３２１の腹部３２１ｂを挟み込み、口金ピン３２１と、口金ピン接触部６２１が物理的及び電気的に接続される。つまり、光源ソケット接触片３２０（ＬＥＤモジュール接触片）の腹部３２１ｂ（ピン部）を口金ピン接触部６２１（本体ソケット接触片）にくわえ込ませることにより電気的に接続する。
【００８２】
光源ユニット２００は、自重によって下方向（照射方向）へ荷重がかかるが、口金ピン３２１の頭部である口金ピン頭部３２１ａが口金ピン接触部６２１の側壁上端部に引っかかり、光源ユニット２００は照明器具１００に取り付けられた状態が維持される。
【００８３】
このように、操作レバー３１２は、ユーザーがスライド操作する操作面３１２ａを有しており、この操作面３１２ａに溝（凹凸）を設けて滑りにくくして操作がし易くなっている。
【００８４】
光源ユニット２００を照明器具１００から外す場合には、操作レバー３１２を長手方向の内側（Ｃ方向）にスライドさせることで、口金ピン３２１がＣ方向にスライドして口金ピン接触部６２１から外れて、光源ユニット２００を照明器具１００から外すことができる。
【００８５】
図５に示すように、本体カバー４００（反射板）を器具本体１１０（取付台座１１４のカバー取付部１１４ｃ）に取り付けるツマミネジ４１０は、光源ユニット２００の器具対向面側に隠れるため、光源ユニット２００を照明器具１００に取り付けたときの意匠性が向上する。
【００８６】
操作レバー３１２（口金操作部）は、口金ピン３２１（口金部）を光源ユニット本体２０２（光源基板取付部）の長手方向（Ｃ−Ｄ方向）にスライドさせる。操作レバー３１２は、口金ピン挿入穴６３２から口金ピン挿入溝６１１（口金挿入孔）に挿入された口金ピン３２１を口金ピン接触片６２０（本体ソケット接触片）の方へスライドさせることにより、口金ピン３２１を口金ピン接触片６２０に挟持させることを特徴とする。
【００８７】
操作レバー３１２は、口金ピン３２１を長手方向（Ｃ−Ｄ方向）の所定の方向に押し付けるバネ３１３（弾性体）を備え、バネ３１３の弾性力を用いて口金ピン３２１を口金ピン接触片６２０（本体ソケット接触片）に挟持させる。
【００８８】
本実施の形態では、口金ピン３２１を口金ピン接触部６２１に挟持させる場合に、バネ３１３の弾性力を用いている。しかし、操作レバー３１２を手動でＣ方向あるいはＤ方向にスライドさせる構成としてもよい。
【００８９】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【００９０】
上記した実施の形態に係る光源ユニットは、光源を長手方向に並べて実装する光源基板を備え、前記光源に電力を供給する電源ユニットを備える器具本体に取り付けられる光源ユニットにおいて、表面と裏面とを有する光源基板取付部であって、前記光源基板を前記表面に取り付ける光源基板取付部と、前記光源基板取付部の前記裏面の長手方向の両側の端部の各端部に設けられ、前記器具本体に取り付けられるとともに、前記電源ユニットに電気的に接続されるプラグ部とを備える。
【００９１】
前記プラグ部は、前記光源基板取付部の前記裏面に固定されるプラグケース底面と、前記プラグケース底面に対向するプラグケース上面とを備えるプラグケースと、一端部が前記プラグケース上面に形成された開口から露出するとともに、他端部が前記プラグケースの内部に収納される口金部と、前記プラグケースの内部に配置される導通部であって、一方の端部が前記口金部の他端部と電気的に接続されるとともに、他方の端部が前記プラグケース底面と前記光源基板取付部とを貫通して、前記光源基板取付部の前記表面に取り付けられている前記光源基板と電気的に接続する導通部とを備える。
【００９２】
前記プラグケースは、前記プラグケース底面に前記導通部の他方の端部を貫通させる底面側貫通孔を備え、前記光源基板取付部は、前記底面貫通孔に対応する位置に、前記底面貫通孔を貫通した前記導通部の他方の端部を貫通させる取付部側貫通孔を備え、前記光源基板は、前記光源に電力を供給するための導体パターンに接続されるパターン接続部を、前記取付部側貫通孔に対応する位置に備え、前記導通部は、前記底面側貫通孔と前記取付面側貫通孔とを貫通して、前記パターン接続部に電気的に接続する。
【００９３】
前記プラグ部は、前記口金部を前記光源基板取付部の長手方向にスライドさせる口金操作部を備える。
【００９４】
前記口金操作部は、前記口金部を前記光源基板取付部の長手方向の所定の方向に押し付ける弾性体を備える。
【００９５】
上記した実施の形態に係る器具本体は、ベース面を有し、発光面の長手方向に光源を並べて実装する光源ユニットであって、前記発光面の裏面の長手方向の両側の端部の各端部に、前記裏面から垂直方向に突出した口金部を備える光源ユニットを前記ベース面に取り付ける器具本体において、前記ベース面に前記光源ユニットが取り付けられる場合に前記口金部に対応する位置に設けられ、前記口金部と物理的及び電気的に接続される本体側ソケット部であって、前記ベース面に固定されるソケットケース底面と、前記ソケットケース底面に対向するソケットケース上面とを備え、前記ソケットケース上面に、前記口金部が挿入される口金挿入孔が形成されたソケットケースと、前記ソケットケースの内部に収納され、前記口金挿入孔から挿入される前記口金部を挟持するとともに、前記口金挿入孔から挿入される前記口金部と電気的に接続する本体ソケット接触片とを備える本体側ソケット部を備える。
【００９６】
上記した実施の形態に係る照明器具は、ベース面を有する器具本体と、光源を長手方向に並べて実装する長方形状の光源基板とを備える照明器具において、表面と裏面とを有する長方形状の光源基板取付部であって、前記光源基板を前記表面に取り付ける光源基板取付部と、前記光源基板取付部の前記裏面の長手方向の両側の端部の各端部に設けられる取付部側プラグ部と、前記器具本体の前記ベース面に設けられ、前記取付部側プラグ部と物理的及び電気的に接続することにより、前記光源を点灯するための電力を前記取付部側プラグ部を介して前記光源基板に供給する本体側ソケット部とを備える。
【００９７】
前記取付部側プラグ部は、前記光源基板取付部の前記裏面に固定されるプラグケース底面と、前記プラグケース底面に対向するプラグケース上面とを備えるプラグケースと、一端部が前記プラグケース上面に形成された開口から露出するとともに、他端部が前記プラグケースの内部に収納される口金部と、前記プラグケースの内部に配置される導通部であって、一方の端部が前記口金部の他端部と電気的に接続されるとともに、他方の端部が前記プラグケース底面と前記光源基板取付部とを貫通して、前記光源基板取付部の前記表面に取り付けられている前記光源基板と電気的に接続する導通部とを備える。
【００９８】
前記本体側ソケット部は、前記ベース面に固定されるソケットケース底面と、前記ソケットケース底面に対向するソケットケース上面とを備え、前記ソケットケース上面に、前記口金部が挿入される口金挿入孔が形成されたソケットケースと、前記ソケットケースの内部に収納され、前記口金挿入孔から挿入される前記口金部を挟持するとともに、前記口金挿入孔から挿入される前記口金部と電気的に接続する本体ソケット接触片とを備える。
【００９９】
前記取付部側プラグ部は、前記口金部を前記光源基板取付部の長手方向にスライドさせる口金操作部を備え、前記口金操作部は、前記口金挿入孔に挿入された前記口金部を前記本体ソケット接触片の方へスライドさせることにより、前記口金部を前記本体ソケット接触片に挟持させる。
【０１００】
前記口金操作部は、前記口金部を前記光源基板取付部の長手方向の所定の方向に押し付ける弾性体を備え、前記弾性体の押力を用いて前記口金部を前記ソケット片接触片に挟持させる。
【０１０１】
前記照明器具は、さらに、前記光源基板を覆うように前記光源基板取付部に取り付けられる透光カバーであって、長手方向の長さが前記光源基板取付部の長手方向の長さと等しい透光カバーを備える。
【符号の説明】
【０１０２】
１００  照明器具、１１０  器具本体、１１１  ベース面、１１２  被取付面、１１４  取付台座、１１４ａ  本体固定部、１１４ｂ  ソケット取付面、１１４ｃ  カバー取付部、１１４ｄ  ネジ取付部、１６０  電源ユニット、１６１  電源端子台、２００  光源ユニット、２０１ａ  発光面、２０１ｂ  端面、２０２  光源ユニット本体、２０２ａ  光源取付面、２０２ｂ  器具対向面、２０２ｅ  光源側導通穴、２０２ｆ  爪係止孔、２０３  光源部、２０４  ＬＥＤ、２０５  透光カバー、２０６  基板、２０６ａ  接触パターン部、２０６ｂ  実装パターン部、２０６ｄ  実装面、２０６ｅ  半田面、３００  光源ソケット、３１０  光源ソケット本体、３１０ａ  光源ソケット本体上面、３１１  光源ソケット蓋、３１１ａ  口金ピン突出孔、３１１ｂ  ネジ挿入孔、３１１ｃ  蓋固定ネジ、３１１ｄ  蓋係止爪、３１２  操作レバー、３１２ａ  操作面、３１２ｂ  レバー軸、３１３  バネ、３１４  ネジ止め孔、３１５  蓋爪係止孔、３２０  光源ソケット接触片、３２１  口金ピン、３２１ａ  口金ピン頭部、３２１ｂ  腹部、３２２  導通部、３３１  開口面、３３２  光源ソケット本体底面、３３３  光源ソケット本体側面、３５１  側面切り欠き部、３５２  導電穴、３５３  係止爪、３５４  端板部、４００  本体カバー、４１０  ツマミネジ、４１０ａ  ツマミ部、４１０ｂ  ネジ部、４２０  カバー開口部、４２０ａ  口金挿入用開口、４３０  カバー光源対向面、４４０  ネジ挿通穴、４５０  反射面、５００  照明装置、６００  器具ソケット、６１０  器具ソケット本体、６１０ａ  ソケットケース底面、６１０ｂ  ソケットケース上面、６１１  口金ピン挿入溝、６１２  取付爪、６１３  ネジ取付部、６１７  固定ネジ、６１５  口金ピン接触片収納部、６１５ａ  仕切り板、６１５ｂ  ネジ穴、６１６  開口、６１８ａ，６１８ｂ  側面、６２０  口金ピン接触片、６２１  口金ピン接触部、６２１ａ  ガイド部、６２２  電線接触部、６３０  器具ソケット蓋、６３１  支持片、６３２  口金ピン挿入穴、６３３  電線挿入孔、６４０  固定ネジ。
【図１】
2015072918.tif 000003
【図２】
2015072918.tif 000004
【図３】
2015072918.tif 000005
【図４】
2015072918.tif 000006
【図５】
2015072918.tif 000007
【図６】
2015072918.tif 000008
【図７】
2015072918.tif 000009
【図８】
2015072918.tif 000010
【図９】
2015072918.tif 000011
【図１０】
2015072918.tif 000012
【図１１】
2015072918.tif 000013
【図１２】
2015072918.tif 000014
【図１３】
2015072918.tif 000015